(57)【要約】【課題】  迅速に且つ資源慎重にそれぞれの挿入目的のために最適化されて準備できるノズルを提供すること。【解決手段】  自動車用の窓ガラスを嵌め込む流動性物質、特に液状或いはペースト状合成樹脂及び密封材料又はそのいずれか一方の放出用ノズルは、物質の放出用の出口（４）をもつノズル先端（１）を有し、そのノズル先端開口（６、７、８）が少なくとも一部分で実質的に三角形或いはＶ字状プロフィール（７）をもつノズル方向の長手延長部を有し、出口の開口幾何学を変更する制御可能な制御要素（２）を備えることを特徴とする。
2008512221.tif 000002
【特許請求の範囲】
【請求項１】
物質の放出用の出口をもつノズル先端を有し、そのノズル先端開口が少なくとも一部分で実質的に三角形或いはＶ字状プロフィールをもつノズル方向の長手延長部を有する自動車用の窓ガラスを嵌め込む流動性物質、特に液状或いはペースト状合成樹脂及び密封材料又はそのいずれか一方の放出用ノズルにおいて、出口の開口幾何学を変更する制御可能な制御要素を備えることを特徴とするノズル。
【請求項２】
出口が既製された開口プロフィールを備えていることを特徴とする請求項１に記載のノズル。
【請求項３】
制御要素はノズル方向に位置変更可能で固定可能なカバースリーブとして形成されていることを特徴とする請求項１或いは請求項２に記載のノズル。
【請求項４】
制御要素が調整できることを特徴とする請求項１乃至３のいずれか一項に記載のノズル。
【請求項５】
制御要素が固有の開口プロフィールを有することを特徴とする請求項１乃至４のいずれか一項に記載のノズル。
【請求項６】
制御要素が出口の開口プロフィールにより修正する開口プロフィールを有することを特徴とする請求項１に記載のノズル。
【請求項７】
制御要素の開口プロフィールが出口の開口プロフィールより大きい開口角度を有することを特徴とする請求項６に記載のノズル。
【請求項８】
制御要素の出口プロフィール及び開口プロフィール又はそのいずれか一方が少なくとも一つの部分でＵ字形状を有することを特徴とする請求項１乃至７のいずれか一項に記載のノズル。
【請求項９】
制御要素の出口プロフィール及び開口プロフィール又はそのいずれか一方が少なくとも一つの部分でＶ字形状を有することを特徴とする請求項１乃至８のいずれか一項に記載のノズル。
【請求項１０】
Ｖ字形状を実現するために、制御要素の出口プロフィール及び開口プロフィール又はそのいずれか一方が第一部分で実質的にノズルの長手軸線に対して斜めに切断されており、Ｖ字形状の先端を形成するために、開口プロフィール部分が第二部分で出口の外面内に一種の刻み目を形成して続いていることを特徴とする請求項９に記載のノズル。
【請求項１１】
ノズルの互いに反対を向いた側面にＵ字形状とＶ字形状が設けられ、それら形状が互いに斜めにノズルの自由端まで延びていることを特徴とする請求項８乃至１０のいずれか一項に記載のノズル。
【請求項１２】
ノズルの自由端における互いに延びるプロフィール部分の間に一種のプラトーが互いに対向位置するプロフィールの脚を連結する円セグメントの形状であることを特徴とする請求項１１に記載のノズル。
【請求項１３】
制御要素が種々の位置で摩擦締めによって固定できることを特徴とする請求項１乃至１２のいずれか一項に記載のノズル。
【請求項１４】
摩擦締めのために固定ねじが設けられていることを特徴とする請求項１３に記載のノズル。
【請求項１５】
摩擦締めのためにプレスばめが特に押圧可能な継目板を備えていることを特徴とする請求項１３に記載のノズル。
【請求項１６】
制御要素が種々の位置で形状締めによって固定できることを特徴とする請求項１乃至１５のいずれか一項に記載のノズル。
【請求項１７】
形状締めのために係合部が設けられていることを特徴とする請求項１６に記載のノズル。
【発明の詳細な説明】
【技術分野】
【０００１】
この発明は、物質の放出用の出口をもつノズル先端を有し、そのノズル先端開口が少なくとも一部分で実質的に三角形或いはＶ字状プロフィールをもつノズル方向の長手延長部を有する自動車用の窓ガラスのかみ込む流動性物質、特に液状或いはペースト状合成樹脂及び密封材料又はそのいずれか一方の放出用ノズルに関する。
【背景技術】
【０００２】
そのようなノズルは原理的にドイツ実用新案第８６２５５０９．６号明細書（特許文献１）から採用できる。この実用新案は風防ガラスの直接枠嵌め込み用の特殊プロフィールを生産するノズルに関する。
【０００３】
既にこの実用新案は、原理的に、三角プロフィールである出口の開口プロフィールを有するこの種のノズルから出発する。この三角プロフィールによって、出口から物質連続体が放出されていて、例えば密封性をガラスの枠嵌め込みの際に生産させる。三角プロフィールの底の幅と三角高さはそれぞれの構造的実状に適合すべきである。三角プロフィールの幾何学のために、例えば互いに密封すべき対象の互いに重なる面の幅並びにこれら対象の間に存在する継目の幅が決定的である。出口プロフィールの原理的構成は、引用された実用新案には図示されていない、というのは、この実用新案に提案された課題と提供された解決策が他の観点に向けられているからである。
【０００４】
しかし、ドイツ特許出願第１００４０５１２号明細書（特許文献２）から、例えばカルトウーシュ用ノズルが採用でき、そこで、ノズルの出口開口がノズル体の閉鎖された先端が裁断されており、この際に切断角度に応じて円状或いは楕円状横断面を備える出口開口が形成することによって形成されていることが説明されている。出口の開口プロフィール、短く言って出口プロフィールは、ノズル体までの横延長部を有するばかりではなく、むしろ、好ましくはある長手延長部を有する。特許文献２に観察されたノズル体が実質的におよそ円錐状であるから、ノズル体を開放するこの種の部分によって円錐断面が出口プロフィールとして、即ち円或いは好ましくは多少長く延びた楕円形状を形成する。しかし、出口プロフィール用の先に述べた三角形状も、原理的にノズル体の適切な裁断によって形成されており、個々にノズル体の裁断によって出口プロフィールの挿入目的のために最良幾何学が形成され得る。これは無論、ノズル体の切り取りを行う人の同時経験と手作業器用さを前提とする。例えば開口プロフィールが大き過ぎになっているならば、そのような切断が不可逆であり、事情によっては、もはや修正できない。これは、切断されたノズルがもはや使用できなく、それによりごみ処理され、新たなノズルと交換されなければならないことを導き得る。切断されたノズルの第一利用試みに応じて、これが挿入目的の最適幾何学を有しないので、ノズルの勘違いされた最初に正しい裁断でも、このノズルが別のノズルと交換されなければならないことを示す。正しい幾何学の触感を得るために、複数のこの種の試し利用必要であるならば、固有の作業、例えば枠嵌め込みが最終的に専門的に行われ得るまで、かなり多い数のノズルが必要とされ得た。
【特許文献１】ドイツ実用新案第８６２５５０９．６号明細書
【特許文献２】ドイツ特許出願公開第１００４０５１２号明細書
【発明の開示】
【発明が解決しようとする課題】
【０００５】
この発明の課題は、迅速に且つ資源慎重にそれぞれの挿入目的のために最適化されて準備できる前記種類のノズルを提供することである。
【課題を解決するための手段】
【０００６】
この課題は、この発明によると、出口の開口幾何学を変更させる位置決め可能な制御要素によって解決される。
【０００７】
それ故に、この発明によると、ノズル体或いはノズル先端が比較的粗く切断され得て、それは原理的に僅かな経験と僅かな手作業器用さをもつ人により実施され得た、というのは、この発明によると、出口の開口幾何学が後から変更され得る制御要素が設けられているからである。特に、それぞれの挿入目的の出口開口が穏やかにおよそ大き過ぎに省略し得た、というのは、制御要素によって後から出口がある百分率まで覆われ得たからである。ノズルの利用の活動の経過にも、出口プロフィールの変更によって出口がいつも最適化され得る。特に、例えば作成すべき密封継目がその経過自体でその幾何学を変更しなければならないので、どっちみち、幾何学の適合において利用の経過に出口幾何学を変更することが役立つことが生じる。この場合には、今一度、特に、この発明によると、制御要素により内径幅、即ち出口の開口プロフィールの面大きさ並びにその形状を変更することが考慮されることが強調されるべきである。例えば制御要素の適切な構成によって可能であり、まず最初に多くの楕円出口プロフィールから多くの三角状開口プロフィールを形成する。
【０００８】
しかし、この発明によると、出口を比較的粗く予め裁断し、即ちノズルの使用の直前にこのノズルを主として裁断し、出口を備えることを可能とするばかりではなく、むしろ、この発明によると、その代わりに特に、ノズルが最初から既製された出口を準備されることが企図されている。出口は、それぞれの挿入目的のために仮定できる態様が変更できる同様に既製される制御要素によって設けられる最適化された幾何学を既に例えば機械的に予め裁断され得る。このために、要素は簡単な方法で例えばノズル方向において位置変更でき且つ固定できるカバースリーブであり得る。これは一回限り、現使用目的に適合する使用前にノズル先端上で正しい位置にもたらされて固定され得る。
【０００９】
しかし、この発明によると、好ましくは、制御要素がその取付け後もいつも位置変更可能なままであり、種々の位置に固定され得ることが企図されている。また、制御要素は好ましくはさらに調整できる。
【００１０】
制御要素は特に固有の開口プロフィールを有する。この開口プロフィールは好ましくは出口の開口プロフィールにより修正すべきだ。これは、出口が例えば三角状開口プロフィールを有するときに、このプロフィールが無条件に合同或いは相似である必要がないならば、制御要素の開口プロフィールが好ましくは三角状であることを意味する。実際は、この発明の再現によると、好ましくは、制御要素の開口プロフィールの開口角度が出口の開口プロフィールの開口角度より大きいことが企図されている。特に、出口の開口プロフィールは幅狭く且つ長く形成されているのに対して、制御要素の開口プロフィールは幅広く且つ短く、つまりある形式でずんぐりに形成される。これによって、出口から出る物質連続体が優先的に且つ出来るだけ早く、物質連続体が配置されるべき箇所に流れ込み、さらに幾何学に基づいて最適な形式にこの領域に分配するという利点が達成される変動可能性が生じる。
【００１１】
この発明による開口プロフィール、確かに出口の開口プロフィール及び制御要素の開口プロフィール又はそのいずれか一方が一部分でＵ字形状、つまり部分的に楕円形状を有する、或いはＶ字形状、つまり曲がり角の多い、角のある形状を有し、しかしこの際にこの発明の好ましい再現によると、開口プロフィールは互いに対向位置する側面にＵ字形状並びにＶ字形状を有する。この場合には、この両プロフィール形状は互いに斜めに流動性物質の流出方向に通じている。この場合には、これら両プロフィール部分の間に一種のプラトー或いはノズル先端の残留横断面が残る、つまり横断方向において両プロフィール脚をそれぞれに互いに連結するノズル先端に整列された円セグメントが残る。この形式では、特に良く、三次元形式に幾何学と目標方向に最適化される利点をもち物質連続体が形成され得る。
【００１２】
この発明の別の再現は、開口プロフィールのＶ字形状或いは三角形状が種々に実現され得たことを企図する。例えば円錐状に形成され得るノズル先端が外面の内部に底の方向に三角状に貼り付けられるので、Ｖ字形状が生じて、この形状ではノズル材料によって案内する切断面が実質的に互いに向かい合っていて、それぞれに直線に屈曲しなく延びている。しかし、Ｖ字形状が組み立てられたプロフィール部分から成る、即ちノズル先端がまず最初に斜めに切断されるので、つまりまず最初に一部が楕円形状になり、さらに、生じる楕円の狭い側面には前もって描写されたＶ字状刻み目が円錐体の外面内部に生じる。この場合に、純粋な三角形状が生じなく、むしろ、Ｖ字形状となり、脚の上部分がまず最初にＵ字形状より早く続く、次に下端には三角形状に互いに尖って通じている。この場合に、上Ｕ字経過と下三角経過の部分が一つの平面に存在しなく、むしろ互いに角度になっている。上Ｕ字形状の切断面は互いに向かい合っていなく、むしろ大幅に流動性物質の流出方向において、つまりほとんど口を開いている。
【００１３】
そのようなおよそ奇妙な形状も、最適な連続体形状に寄与でき、この形状はまず最初にノズルから連続体の流出を優遇し、連続体は最適形式に容積充填して形成されるように形成する。
【００１４】
調整可能な制御要素が種々の形式に位置変更でき且つ固定できるように形成され得る。例えば制御要素は種々の位置に摩擦締めによって固定でき、この場合に、ここで固定ねじ、例えば止めねじのために、設けられ、或いはプレスばめ、例えば、半径方向において円錐体或いは継目板をプレスばめで押圧するカバースリーブの周りに循環するねじを備えている。
【００１５】
制御要素は形状締めによって固定でき、このために特に係止部が設けられ得る。このために係止突起と係止開口の間の協力が考慮される。このために例えば固定孔をもつ固定ねじが考慮できた、或いは例えば一種のラチェットも考慮できた。
【発明を実施するための最良の形態】
【００１６】
更なる発明の特徴事項が明らかになる実施例は、図面において図示されている。      
【実施例】
【００１７】
図１はこの発明のノズルの第一実施例を斜視図で示す。
【００１８】
ノズルは実質的にノズル先端１とノズル先端１上を移動されるカバースリーブ２とを包含する。このカバースリーブ２はノズル先端に沿って調整され、固定ねじ３により固定され得る。
【００１９】
ノズル先端１は一側面に流動性物質を流出する出口４を有し、その他端には内ねじ部分５を有し、その内ねじ部分によりノズル先端が例えばカルトウーシュ或いはそのような物のねじ上にねじ込まれ得る。
【００２０】
出口４は、種々の部分から構成されている物質を流出する開口プロフィールを有する。この開口プロフィールはＵ字形状６、Ｖ字形状７をノズル先端１の互いに対向位置する側面に包含し、プロフィール部分６と７の脚を互いに連結する円セグメントから成る一種のプラトー８を包含する。
【００２１】
カバースリーブ２はそれ自体相似開口プロフィールを有し、即ちＵ字形状９、Ｖ字形状１０とプラトー１１から成る。この場合に、特にＶ字形状１０の開口角度がＶ字形状７の開口角度より大きい。ノズル先端１に沿うカバースリーブ２の移動によって、物質の流出に利用する出口４の内径開口が変更でき、しかも、その面大きさやその幾何学形状も変更できる。
【００２２】
図２は図１によるノズルの前面図を示す。他の図におけるのと同じ構成要素は図１におけるのと同じ参照数字を備える。
【００２３】
特に一度に出口４の種々のプロフィール部分が認識すべき、点線によって内ねじ部分５で様子を見る。  
【００２４】
図３は図２によるノズル先端１の側面図を示す。この図では、カバースリーブ２のガイドとして用いられ、同時にカバースリーブの摩擦締め固定のために利用され得る面取りされた案内軌道１２に注目すべきである。
【００２５】
図４は、同様に面取りされた案内軌道１２を示すノズル先端１の選択的側面図を示し、けれども、案内軌道は等距離に配置された係止袋孔１５の形態の係止部を有する。この種の係止袋孔１５には、例えば図９による固定ねじ１４が取り付けられ得た。
【００２６】
この平らな案内軌道１２によってノズル先端１は図５に図示された平面図で少なくとも上領域に二面の形状を得て、つまりカバースリーブ２が適合されている丸くない形状を得るので、カバースリーブ２が良く確実に案内されるばかりでなく、むしろ回転確実に案内されている。これは、特に、Ｖ字形状７と１０の頂点はカバースリーブ２の移動の際にいつも線上に軸線平行に位置し、互いに旋回しないことを考慮する。
【００２７】
図６乃至８には、図１によるカバースリーブ２は側面図、平面図と前面図に図示されている。図６では、カバースリーブ２が面取り部１３を有し、面取り部が図７における平面図と同様に横断面で二面の形状を導くことを認識すべきである。
【００２８】
カバースリーブ２の前面図８には、もう一度、他の図から、カバースリーブ２の開口プロフィール部分９、１０と１１を認識すべきである。
【００２９】
図９はカバースリーブ２の別の実施例を斜視図で示す。この実施例は複数のプロフィール部分から成る開口プロフィールを有する。再びＵ字形状９が存在し、プラトー１１とＶ字形状１０は原理的に存在するけれども、これらは今や二つの部分１０ａと１０ｂから構成されている。上部分１０ａはＵ字形状より早く行われるが、しかしＶ字先端部分１０ｂによって続けられる。それ故に、Ｖ字形状１０は一平面にはなく、むしろ屈曲されている。
【００３０】
さらに、図９には、案内軌道においてカバースリーブ２を固定する簡単な固定ねじ１４が示されている。
【図面の簡単な説明】
【００３１】
【図１】カバースリーブをもつこの発明のノズルの第一実施例を斜視図で示す。
【図２】カバースリーブなしの図１によるノズルの前面図を示す。
【図３】図２によるノズルの第一可能な側面図を示す。
【図４】図２によるノズルの第二可能な側面図を示す。
【図５】図２によるノズルの平面図を示す。
【図６】図１によるカバースリーブの可能な側面図を示す。
【図７】図６によるカバースリーブの平面図を示す。
【図８】図６によるカバースリーブの前面図を示す。
【図９】変更された開口プロフィールをもつカバースリーブの他の実施例を示す。
【符号の説明】
【００３２】
１．．．．．ノズル先端
２．．．．．カバースリーブ
３．．．．．固定ねじ
４．．．．．出口
５．．．．．内ねじ部分
６．．．．．Ｕ字形状
７．．．．．Ｖ字形状
８．．．．．プラトー
９．．．．．Ｕ字形状
１０．．．．Ｖ字形状
１１．．．．プラトー
１２．．．．案内軌道
１３．．．．面取り部
１４．．．．止めねじ
１５．．．．係止袋孔
【図１】
2008512221.tif 000003
【図２】
2008512221.tif 000004
【図３】
2008512221.tif 000005
【図４】
2008512221.tif 000006
【図５】
2008512221.tif 000007
【図６】
2008512221.tif 000008
【図７】
2008512221.tif 000009
【図８】
2008512221.tif 000010
【図９】
2008512221.tif 000011
【国際調査報告】
2008512221.tif 000012
2008512221.tif 000013
2008512221.tif 000014
2008512221.tif 000015
2008512221.tif 000016
2008512221.tif 000017